(57)【特許請求の範囲】
【請求項１】
競技用ゴールポスト（５０）の接地面に沿って配置される支持板部（３）の上面にガイド枠部（９）が一体に立設されるとともに、一対の端板（５）が支持板部（３）の一側で二股に分岐して連設され、一対の各端板（５）に、接地面と平行な水平面で互いに直交し、接地面に向かって開口する一対のフック部（６）が一体に連設された転倒防止具本体（２）と、
ガイド枠部（９）により水平方向に位置決め支持され、支持板部（３）上に載置される複数のウエイトブロック（４）とからなり、
競技用ゴールポスト（５０）を構成する枠体（５１）の内、競技用ゴールポスト（５０）の接地面に沿った後方のコーナーで交差する後方フレーム（５１Ａ）と側方フレーム（５１Ｂ）へ、ウエイトブロック（４）を載置した転倒防止具本体（２）の一対のフック部（６）をそれぞれ掛止することを特徴とする競技用ゴールポストの転倒防止具。
【請求項２】
平面に係合凸部（２１ａ）が、底面に係合凸部（２１ａ）と係合する係合凹部（２１ｂ）が、複数の各ウエイトブロック（２１）に同一形状で形成され、複数の各ウエイトブロック（２１）は、互いの対向面の係合凸部（２１ａ）と係合凹部（２１ｂ）を係合して支持板部（３）上に積層されることを特徴とする請求項１に記載の競技用ゴールポストの転倒防止具。
【請求項３】
載置するウエイトブロック（４）を支持板部（３）へ投影させた支持板部（３）の投影領域内に、抜き孔（１０）が穿設されていることを特徴とする請求項１又は請求項２のいずれか１項に記載の競技用ゴールポストの転倒防止具。
【発明の詳細な説明】
【技術分野】
【０００１】
本発明は、サッカー、バスケットなどのスポーツ競技に使用される競技用ゴールポストを設置した状態で起立支持する競技用ゴールポストの転倒防止具に関する。
【背景技術】
【０００２】
競技用ゴールポストは、鉄骨、金属パイプなどのフレームを立体的に組み立てた枠体に、サッカー、ハンドボールなどでは、枠体の前面を残して全体をネットで覆い、バスケットでは、枠体の前面上方に袋状のネットを支持して、構成される。
【０００３】
いずれのゴールポストも、枠体に所定の強度が求められるため、総重量は数１００Ｋｇ若しくは１ｔ以上となり、子供が不用意に上方に掛け渡されたフレームにぶら下がるなどにより、ゴールポストの全体が前方に転倒し下敷きになるという事故が絶えないものであった。
【０００４】
ゴールポストの後方若しくは側方への転倒は、同方向に回転ストッパーとなるフレームを張り出して形成することにより防止できるが、競技エリア側の前方への転倒は、競技のじゃまになるためにこのような回転ストッパーを前方へ突出させてることができず、前方への転倒について効果的な防止策がなかった。
【０００５】
そこで、従来、枠体の底面側で後方に配置されるフレームを、ペグ、アンカーなどで地面に固定し、前方への転倒を防止する方法が知られている（特許文献１）。
【０００６】
【特許文献１】特開２００３−１４４９５号公報（第３頁乃至第４頁、図１、図２）
【０００７】
図７は、この従来の競技用ゴールポストの転倒防止具１００を示すもので、地中に埋め込まれる筒状のアンカー１０１とアンカー１０１の筒内に嵌挿自在の固定具１０２とから構成され、固定具１０２の上端にフック部１０３が一体に連設されている。
【０００８】
図８に示すように、この転倒防止具１００は、競技用ゴールポスト１１０の設置に複数組が用いられ、競技用ゴールポスト１１０を設置する予定の場所で、競技用ゴールポスト１１０の底面側の枠体を構成する後方フレーム１１１と側方フレーム１１２の周辺に予め複数のアンカー１０１が傾斜した状態で埋め込まれている。
【０００９】
競技でこのゴールポスト１１０を使用する場合には、アンカー１０１が埋め込まれた設置位置にゴールポスト１１０を起立させ、フック部１０３を後方フレーム１１１若しくは側方フレーム１１２へ掛止させながら、対となるアンカー１０１内に固定具１０２を挿入する。
【００１０】
アンカー１０１が地中に傾斜して埋め込まれるので、挿入された固定具１０２は、アンカー１０１から抜けにくく、競技用ゴールポスト１１０が前方に傾斜し転倒する危険が生じても、フック部１０３で後方フレーム１１１と側方フレーム１１２を支持するので、転倒を防止できる。
【００１１】
また、固定具１０２は、アンカー１０１に対して簡単に挿抜できるので、後方フレーム１１１をアンカー１０１に対して簡単に拘束でき、また、競技用ゴールポスト１１０の使用が終了し、他へ移動させる場合に、アンカー１０１から固定具１０２を容易に引き抜き、アンカー１０１との拘束を解くことかできる。
【発明の開示】
【発明が解決しようとする課題】
【００１２】
この従来の競技用ゴールポストの転倒防止具１００では、競技用ゴールポスト１１０を移動させる際に、簡単に地中に埋められたアンカー１０１から容易に固定具１０２を引き抜くことを可能としたものであるが、これにより、後方フレーム１１１をフック部１０３で支持している際にも、固定具１０２が抜け出やすく、子供がぶら下がるなどで競技用ゴールポスト１１０に前方へ回転しようとする大きな回転モーメントが発生した場合には、固定具１０２がアンカー１０１から引き抜かれたり、アンカー１０１自体が変形し地中から引き抜かれるなどとなって、競技用ゴールポスト１１０の転倒を完全に防止するまでには至らないものであった。
【００１３】
また、予め競技用ゴールポスト１１０を設置する位置に複数のアンカー１０１を埋め込んでおく必要があるため、その設置位置が限られるとともに、不使用時には競技場にアンカー１０１による孔が開口しているのは危険であるため、その開口をキャップなどで覆う手間も必要となっていた。
【００１４】
他の方法として、競技用ゴールポスト１１０を設置する毎に、その後方フレーム１１１に沿ってペグを打ち込み固定する方法も実施されているが、競技用ゴールポスト１１０を使用する都度、複数のペグを打ち込み、また終了後に移動のためにペグを引き抜くのは大変な労力を要するものであった。特に、打ち込んだペグの引き抜きには、子供では引き抜くことができい大きな力を要し、小、中学校ではその手間からペグの打ち込みを省き、転倒による事故を招く原因となっていた。
【００１５】
本発明は、このような従来の問題点を考慮してなされたものであり、競技用ゴールポストの設置位置に制約がなく、しかも確実に競技用ゴールポストの前方への転倒を防止できる競技用ゴールポストの転倒防止具を提供することを目的とする。
【００１６】
また、大きな力を要することなく、後方フレームを拘束し、競技用ゴールポストの前方への転倒を防止できる競技用ゴールポストの転倒防止具を提供することを目的とする。
【課題を解決するための手段】
【００１７】
上述の目的を達成するため、請求項１の競技用ゴールポストの転倒防止具は、競技用ゴールポストの接地面に沿って配置される支持板部の上面にガイド枠部が一体に立設されるとともに、一対の端板が支持板部の一側で二股に分岐して連設され、一対の各端板に、接地面と平行な水平面で互いに直交し、接地面に向かって開口する一対のフック部が一体に連設された転倒防止具本体と、ガイド枠部により水平方向に位置決め支持され、支持板部上に載置される複数のウエイトブロックとからなり、
競技用ゴールポストを構成する枠体の内、競技用ゴールポストの接地面に沿った後方のコーナーで交差する後方フレームと側方フレームへ、ウエイトブロックを載置した転倒防止具本体の一対のフック部をそれぞれ掛止することを特徴とする。
【００１８】
支持板部に複数のウエイトブロックが積層される転倒防止具本体のフック部を、枠体の内、接地面に沿って配置されるフレームに掛止するので、ウエイトブロックの荷重の一部がフック部を介して、フレームに対して接地面方向に作用する。その結果、競技用ゴールポストに対して、前方に転倒する方向のモーメントが不用意に加わっても、ウエイトブロックの荷重が逆方向に働き、転倒が防止される。
【００１９】
支持板部は、接地面に沿って水平に配置され、また、支持板部上に積層される複数のウエイトブロックは、ガイド枠部により水平方向に位置決め支持されるので、積み重ねてもその一部が脱落することがなく、複数のウエイトブロックの荷重が分散することなく支持板に鉛直方向に働く。
【００２０】
一対のフック部は、後方フレームと側方フレームの後方寄りに掛止するので、競技用ゴールポストの前端を中心に前方へ転倒する方向に働くモーメントに対して、ウエイトブロックの荷重による逆方向の大きなモーメントを発生されることができる。また、後方フレームと側方フレームの２カ所の位置に掛止するので、フレームから外れにくい。
【００２１】
また、請求項２の競技用ゴールポストの転倒防止具は、平面に係合凸部が、底面に係合凸部と係合する係合凹部が、複数の各ウエイトブロックに同一形状で形成され、複数の各ウエイトブロックは、互いの対向面の係合凸部と係合凹部を係合して支持板部上に積層されることを特徴とする。
【００２２】
積層した上下のウエイトブロックが互いに係合するので、支持板部上にウエイトブロックを複数段積み重ねても傾斜して落下することがない。
【００２３】
また、請求項３の競技用ゴールポストの転倒防止具は、載置するウエイトブロックを支持板部へ投影させた支持板部の投影領域内に、抜き孔が穿設されていることを特徴とする。
【００２４】
抜き孔は、ウエイトブロックの投影領域内に形成されるので、ウエイトブロックが抜き孔を貫通することなく、支持板部上に支持される。
【発明の効果】
【００２５】
請求項１の発明によれば、複数のウエイトブロックの荷重から、競技用ゴールポストの前方への転倒方向と逆方向のモーメントを得るので、軽量のウエイトブロックを分散して持ち運ぶことができ、競技用ゴールポストの設置位置を移動しても、その設置位置に転倒防止具を簡単に設置することができ、また、使用後は転倒防止具の設置を簡単に解除できる。
【００２６】
従って、学校教育では、多くの子供が複数のウエイトブロックと転倒防止具本体を分散して運び、設置若しくは設置の解除が可能となり、競技用ゴールポストに対する転倒防止対策を確実に実行できる。
【００２７】
ゴールポスト内には、フック部のみが配置されるので、競技の支障にならない。
【００２８】
転倒防止具本体が、競技用ゴールポストの後方のコーナーに跨って配置されるので、積層されるウエイトブロックは、枠体のコーナー後方に隠れ、競技用ゴールポストの正面（前方）側から見ずらいものとなる。また、前方から競技用ゴールポスト内に不用意に競技者が倒れ込んでも、ウエイトブロックに衝突することがなく、怪我の危険がない。
【００２９】
これに加えて請求項２の発明によれば、複数のウエイトブロックの係合部の形状を同一形状とするので、同一の型を用いて量産することができる。
【００３０】
これに加えて請求項３の発明によれば、支持板部に抜き孔が穿設されるので、転倒防止具本体を軽量化でき、持ち運びが容易となる。
【発明を実施するための最良の形態】
【００３１】
以下、本発明の第１実施の形態に係る競技用ゴールポストの転倒防止具１を、図１乃至図４で説明する。本実施の形態に係る転倒防止具１は、図１に示すサッカー競技に使用されるゴールポスト５０の前方（図１において右斜め上方）への転倒を防止するもので、転倒防止具本体２と、同一形状に形成された４個のウエイトブロック４で構成されている。
【００３２】
転倒防止具本体２は、鉄、ステンレス、プラスチックなどの剛板で形成され、ここでは鉄板が用いて、一辺が５０ｃｍ程度の正方形状の支持板部３の一側から、二股に分岐する一対の端板５、５が一体に連設されている。図４に示すように、細長帯状の端板５、５は、その先端側が互いに内向きの斜め４５度の折り曲げ線で起立するように折り曲げられ、その後、水平方向と鉛直方向に直角に二度折り返されることにより、断面コの字状のフック部６、６が一体に形成されている。
【００３３】
断面コの字状のフック部６により形成される下方に開口する凹溝は、一対のフック部６、６でそれぞれ互いに直交する方向となる。また、凹溝の水平方向の内径と鉛直方向の高さは、後述するゴールポスト５０の後方フレーム５１Ａ及び側方フレーム５１Ｂの各水平方向幅及び鉛直方向の高さより大きく、これにより、各フック部６，６が後方フレーム５１Ａ及び側方フレーム５１Ｂへ掛止自在となる。
【００３４】
各フック部６の起立する側面と端板５間には、フック部６の水平方向の幅を隔てて一対の扇状ブラケット板７、７が溶接により取り付けられ、フック部６が水平な端板５方向に傾斜して変形しないようにその側面を起立支持している。鉛直方向に起立するブラケット板７、７の間には、同様に溶接により鉄棒８が掛け渡され、ブラケット板７、７間の間隔保持とこの鉄棒８を持ち、転倒防止具本体２を持ち運びできるようにしている。
【００３５】
また、支持板部３の四隅の内側には、それぞれ、横断面がＬ字状のガイド枠９が支持板部３を貫通して溶接により立設されている。４カ所の部位に立設されたガイド枠９で囲まれる支持板部３上に、図４に示すように２列２段に重ねる４個のウエイトブロック４を載置するもので、載置されるウエイトブロック４の周囲は、４本のガイド枠９によって水平方向に位置決めされるので、水平方向に移動したり、傾斜して重ねたウエイトブロック４が落下することがない。
【００３６】
載置するウエイトブロック４を支持板部３上へ投影させた投影領域、すなわち４本のガイド枠９で囲まれる支持板部３上の領域の内側に、矩形の抜き孔１０が穿設されている。抜き孔１０を穿設することにより、鉄製の転倒防止具本体２を軽量化することができ、また、この抜き孔１０の輪郭は、ウエイトブロック４の輪郭より小さいので、ウエイトブロック４が抜き孔１０から下方に抜け出ることがない。
【００３７】
また、支持板部３上の上述したウエイトブロック４の載置領域と干渉しない端板５の他側の部位には、コの字状の鉄製取っ手１１が溶接で取り付けられ、この取っ手１１によっても転倒防止具本体２を持ち運びできるようにしている。
【００３８】
支持板部３上方に配置されるウエイトブロック４は、コンクリートからなる長方形状輪郭の板状ブロックで、長手方向で対向する両側に凹溝４ａが形成され、各凹溝４ａにウエイトブロック４を持ち運ぶための鉄製のロッド１２が掛け渡されている。このように構成されるウエイトブロック４は、４個がそれぞれ同一形状に形成されている。これにより、ウエイトブロック４を形成する型枠を共用し、任意数のウエイトブロック４を安価に量産できる。
【００３９】
一組の転倒防止具１に用いられるウエイトブロック４の個数は、１個あたりのウエイトブロック４の自重、ゴールポスト５０の荷重、形状等からゴールポスト５０の前方側への転倒を防止するのに充分な数を用い、多数のウエイトブロック４を必要数選択することにより、種々のゴールポストの転倒を防止することができる。ウエイトブロック４は、所定の重量が得られれば、コンクリートの他、種々の材料で形成することができる。
【００４０】
この転倒防止具１をゴールポスト５０の転倒防止の為に設置する場合には、始めにゴールポスト５０を構成する枠体５１の内、図１に示すように、接地面に沿った後方フレーム５１Ａと側方フレーム５１Ｂが交差する後方のコーナーに、転倒防止具本体２を設置する。この設置は、転倒防止具本体２の一対の端板５、５を、コーナーを跨いで、枠体５１を覆うゴールネット５２の編み目の隙間、若しくはゴールネット５２と枠体５１の隙間から挿通し、一対のフック部６、６を後方フレーム５１Ａと側方フレーム５１Ｂへそれぞれ上方から掛止する。この設置状態で、支持板部３は、コーナーの後方でゴールポスト５０の接地面に沿って水平に配置される。
【００４１】
その後、図１、図２に示すように、４個のウエイトブロック４を、１個ごとに、ガイド枠９で案内される支持板部３上に載置し、水平方向に２列、鉛直方向に２段積層させ、転倒防止具１の設置が完了する。この転倒防止具１は、図１に示すように、ゴールポスト５０の後方の２カ所のコーナーにそれぞれ設置され、サッカーのように、競技場で対向する２カ所にゴールポスト５０、５０を設置する場合には、それぞれについて２組の転倒防止具１を、合計で４組の転倒防止具１を設置する。
【００４２】
転倒防止具１を設置した状態では、積層させたウエイトブロック４の総荷重の一部が、フック部６を介して後方フレーム５１Ａと側方フレーム５１Ｂのそれぞれに下方向に働き、ゴールポスト５０の前方への転倒が防止される。
【００４３】
更に、ゴールポスト５０が転倒しようとして後方フレーム５１Ａがわずかに浮き上がっても、フック部６が後方フレーム５１Ａと側方フレーム５１Ｂに掛止しているので、転倒防止具本体２が枠体５１から外れることがない。また、この転倒防止具１は、競技者が競技するゴールポスト５０の正面側からは、枠体５０のコーナーに隠れたその後方に設置されるので、競技のじゃまにならなず、また万が一競技者がゴールポスト５０内に倒れ込んでも、ウエイトブロック４に衝突することがなく、怪我の危険がない。
【００４４】
ゴールポスト５０を移動させるために、転倒防止具１の設置を解除する場合には、上述と逆の手順で、積層された最上段のウエイトブロック４から取り除き、最後にフック部６の掛止を解いて転倒防止具本体２を取り除く。
【００４５】
転倒防止具１を移動させる際には、各ウエイトブロック４と転倒防止具本体２を分離させて移動することができ、特にウエイトブロック４には、両側に２カ所のロッド１２の取っ手が、転倒防止具２には、鉄棒８、８と取っ手１１の３カ所の取っ手がそれぞれ備えられているので、非力な子供でも数人で分担し、簡単に持ち運ぶことができる。
【００４６】
上述の実施の形態では、４個のウエイトブロック４を、４本のガイド枠９内で、２列２段に積層させ、水平方向への位置決めを行っているが、ガイド枠９の高さより高くウエイトブロックを積み重ねる場合には、積層する上下のウエイトブロック間を係合させ、水平方向の位置決めを行ってもよい。
【００４７】
図５と図６は、この第２の実施の形態に係る転倒防止具２０を示すもので、第１実施の形態と同一構成については、同一の番号を付してその説明を省略する。
【００４８】
転倒防止具２０を構成する複数のウエイトブロック２１は、図６に示すように、コンクリートで形成した同一の長方形輪郭の板状ブロックで、その各平面に共通して四角柱の係合凸部２１ａが、各底面に共通して係合凸部２１ａと嵌合する係合凹部２１ｂが凹設されている。係合凸部２１ａと係合凹部２１ｂが形成される構成を除き、ウエイトブロック２１の構成は、前述したウエイトブロック４と同一である。
【００４９】
また、転倒防止具本体２２に立設されるガイド枠２３、積層される最下段のウエイトブロック２１を水平方向に位置決めする為に用いられ、第１実施の形態に係るガイド枠９に比べて起立する高さが低いものとなっている。
【００５０】
このように構成された転倒防止具２０は、第１実施の形態と同様に、フック部６、６を後方フレーム５１Ａと側方フレーム５１Ｂへそれぞれに掛止し、転倒防止具本体２２をゴールポスト５０のコーナーの近傍の接地面上に水平に配置する。
【００５１】
この後、２個のウエイトブロック２１を、４本のガイド枠２３内に２列で配置し、水平方向に位置決めし支持板部３上に載置する。この状態で、図５に示すように、係合凸部２１ａが２列の各ウエイトブロック２１の平面上に突出する。
【００５２】
従って、このウエイトブロック２１の係合凸部２１ａに、底面の係合凹部２１ｂに嵌合させながら、新たなウエイトブロック２１を載置すると、上下のウエイトブロック２１が係合し、水平方向の位置決めが行われる。
【００５３】
同様にして、ウエイトブロック２１上に更にウエイトブロック２１を積層すれば、上下で積層される２個のウエイトブロック２１、２１間は、相互に水平方向に係合するので、必要数のウエイトブロック２１を多段に重ねても倒れることがない。
【００５４】
このウエイトブロック２１に形成する係合凸部２１ａと係合凹部２１ｂの形状は、上述実施の形態に限らず、多段に積層したウエイトブロック２１が崩れないように水平方向に位置決めできるものであれば、任意の形状とすることができる。
【００５５】
以上の第１、第２の実施の形態では、鉄板の端板５を折り曲げてフック部６としたが、後方フレーム５１Ａや側方フレーム５１Ｂに掛止できる形状であれば、任意の方法でフック部を形成することができる。また、フック部の形状も、下方に開口する門型状で枠体５１に掛止できる形状であれば、断面コの字状に限らず、例えば円弧状のアーチ状としてもよい。
【００５６】
更に、転倒防止具本体２、２２の支持板部３は、接地面に直接配置するものであったが、ゴールポスト５０の接地面に沿って水平に配置されるものであれば、枠体５１の高さにフック部６の掛止位置を合わせるために、支持板部３と接地面との間にスペーサ部材を介在させてもよい。
【００５７】
更に、ウエイトブロック４、２１は、支持板部３に水平方向に２列配置したが、１列でも、３列以上であってもよい。
【産業上の利用可能性】
【００５８】
本発明は、競技用ゴールポストと共に用いて、ゴールポストを設置した状態に支持する転倒防止具に適している。
【図面の簡単な説明】
【００５９】
【図１】本発明の第１実施の形態に係る競技用ゴールポストの転倒防止具１を設置した状態を示す斜視図である。
【図２】図１のＡ−Ａ線に沿って切断した縦断面図である。
【図３】転倒防止具１を設置した状態を示す平面図である。
【図４】転倒防止具１の部分省略分解斜視図である。
【図５】本発明の第２実施の形態に係る転倒防止具２０の分解斜視図である。
【図６】第２実施の形態に係るウエイトブロック２１の（ａ）は、平面図、（ｂ）は、側面図、（ｃ）は、正面図、である。
【図７】従来の競技用ゴールポストの転倒防止具１００を示す拡大縦断面図である。
【図８】従来の競技用ゴールポストの転倒防止具１００を設置した状態を示す斜視図である。
【００６０】
１、２０    競技用ゴールポストの転倒防止具
２、２２    転倒防止具本体
３          支持板部
４、２１    ウエイトブロック
５          端板
６          フック部
９、２３    ガイド枠（ガイド枠部）
１０        抜き孔
２１ａ      係合凸部
２１ｂ      係合凹部
５０        競技用ゴールポスト
５１        枠体（フレーム）
５１Ａ      後方フレーム
５１Ｂ      側方フレーム  
【要約】 
【課題】  競技用ゴールポスト（５０）の設置位置に制約がなく、大きな力を要することなく、確実に競技用ゴールポスト（５０）の前方への転倒を防止できる競技用ゴールポストの転倒防止具を提供する。
【解決手段】  ゴールポスト（５０）の接地面に沿って配置されるフレーム（５１）にフック部（６）を掛止させる転倒防止具本体（２）に、複数のウエイトブロック（４）を積層して載置する。フレーム（５１）に対してゴールポスト（５０）の転倒方向と逆方向に働くモーメントをウエイトブロック（４）の荷重で加え、転倒を防止する。複数個のウエイトブロック（４）を用いるので、大きな力を要することなく、ウエイトブロック（４）を持ち運び、所要箇所に転倒防止具を設置できる。
【選択図】  図１
【図１】
0003626490.tif 000002
【図２】
0003626490.tif 000003
【図３】
0003626490.tif 000004
【図４】
0003626490.tif 000005
【図５】
0003626490.tif 000006
【図６】
0003626490.tif 000007
【図７】
0003626490.tif 000008
【図８】
0003626490.tif 000009